(57)【要約】【課題】この発明は、狭いスペースでも観葉植物などの植物を設置でき、かつ、植物の生育環境にも配慮した植物観賞パネルを得ることを課題とするものである。【解決手段】この発明は、薄型の箱状筐体１の正面１１には開口部１１１を設けて透明パネル２１を取り付け、側壁１３，１４には通気孔３を設け、前記箱状筐体１内部に植物６を収めて外部から植物６を鑑賞できるように構成する。【選択図】図１
2011156841.tif 000002
【特許請求の範囲】
【請求項１】
薄型の箱状筐体の正面には開口部を設けて透明パネルを取り付け、側壁には通気孔を設け、
前記箱状筐体内部に植物を収めて外部から植物を鑑賞できるものとした、
植物観賞パネル。
【請求項２】
箱状筐体の背面にも開口部を設けて透明パネルを取り付けた、請求項１記載の植物観賞パネル。
【請求項３】
箱状筐体内部には光源を備えた、請求項１又は２記載の植物観賞パネル。
【請求項４】
箱状筐体は光触媒活性物質でコーティングを施し、光源には紫外線を発する光源を用いた、請求項３記載の植物観賞パネル。
【発明の詳細な説明】
【技術分野】
【０００１】
この発明は、省スペースで観葉植物などの植物を設置できる植物観賞パネルに関するものである。
【背景技術】
【０００２】
従来より、オフィスや商業施設、ホテル、家庭など様々な場所において、植物の緑によるリラックス効果を得る目的やインテリア性を考慮して、各種観葉植物が設置されている。そして、これら観葉植物は、鉢植えにされた状態で床やカウンター、花壇やテーブルなどの上に載置されるのが一般的である。
しかしながら、鉢植え観葉植物は鉢そのものが場所を取るだけでなく、植物の枝葉が鉢のサイズを超えて四方に大きく広がるため、設置に際しては十分なスペースを確保することが要求され、狭いスペースしか確保できないところには設置することができない。
【０００３】
しかるに、観葉植物を設置するための十分なスペースを確保できない場所には、ちょっとした置物や絵画、鉢を必要としない造花などのアート作品を設置して、場所を取る鉢植え観葉植物の代用とすることが多い。
【０００４】
しかしながら、観葉植物などの生きた植物と置物や絵画、造花などの人工物とでは看者が受ける印象が大きく異なり、これらから得られるリラックス効果やインテリア効果も観葉植物などの生きた植物とは異なるものである。
【特許文献１】登録実用新案第３１４６３１７号公報
【０００５】
また、観葉植物は生きた植物を鑑賞するものであるため、狭いスペースに設置する場合でも、植物の生育環境に配慮する必要がある。
【発明の開示】
【発明が解決しようとする課題】
【０００６】
この発明は、狭いスペースでも観葉植物などの植物を設置でき、かつ、植物の生育環境にも配慮した植物観賞パネルを得ることを課題とするものである。
【課題を解決するための手段】
【０００７】
この発明の植物観賞パネルは、薄型の箱状筐体の正面には開口部を設けて透明パネルを取り付け、側壁には通気孔を設け、前記箱状筐体内部に植物を収めて外部から植物を鑑賞できるように構成されている。
薄型の箱状筐体は、奥行き３０ｍｍないし１００ｍｍ程度の箱状に、金属を加工して構成することが好ましいが、プラスチックやアクリルなどの合成樹脂、あるいは木材を用いてもよい。また、この箱状筐体は内外面の双方又は一方を光触媒活性物質でコーティングを施しておくことが好ましい（請求項４）。
箱状筐体正面の開口部は、箱状筐体内部に収められる植物の根元部分が目隠しされるように筐体正面の下方部分を残すようにして設けるのが好ましい。また、筐体背面にも正面同様の開口部を設けて透明パネルを取り付けてもよい（請求項２）。
前記開口部に取り付けられる透明パネルは、透明の板状のものであればよく、透明のプラスチック板やアクリル板など合成樹脂製の板の他、ガラス板などを用いることができる。
通気孔は、筐体内部の空気を換気して外部の新鮮な空気を取り入れるための孔であり、箱状筐体の側壁に設ける。この通気孔の形状、数量は適宜選択することができる。
箱状筐体内部には観葉植物などの植物を収めることができ、前記箱状筐体の一部分を開閉可能なものとすることによって、植物の出し入れ、水やりを可能とすることができる。
この発明において、箱状筐体の「正面」とは、箱状筐体の各面のうち一番広い面積を有する側の面をいう。
【０００８】
箱状筐体内部には光源を備えるものとしてもよい（請求項３）。前記光源には蛍光管、発光ダイオード（ＬＥＤ）、エレクトロルミネッセンス（ＥＬ）など種々のものを用いることができるが、前記箱状筐体を光触媒活性物質でコーティングした場合には、紫外線ランプや紫外線ＬＥＤなど、紫外線を多く発する光源を用いることが好ましい（請求項４）。光触媒活性物質としては例えば酸化チタンが考えられる。
【発明の効果】
【０００９】
この発明によれば、植物観賞パネルを薄型の箱状筐体で構成し、この箱状筐体の正面に開口部を設けて透明パネルを取り付けたので、前記箱状筐体内に収められた植物の枝葉の広がりが筐体サイズに規制されるとともに、透明パネルを通して内部の植物を鑑賞することができる。
すなわち、鑑賞したい植物の奥行きを薄型の箱状筐体の奥行きに規制することができるので、鉢植えの観葉植物を設置するための十分なスペースが確保できない場所であっても、薄型の箱状筐体を置くスペースが確保できれば観葉植物を設置することができる。
そして、箱状筐体側壁には通気孔を設けたので、植物が収められる箱状筐体内部の空気と外部の空気とを換気することができ、植物の呼吸に必要な新鮮な空気をこの通気孔から内部に取り入れることができるので、箱状筐体内に収められた植物の呼吸が妨げられることはない。
【００１０】
請求項２の発明によれば、開口部を筐体背面にも設けて透明パネルを取り付けたので、正背面の何れの側からも内部の植物を鑑賞することができる。また、正背面とも透明で視界が筐体によって遮られることがないので、植物観賞パネル自体の圧迫感を抑えることができる。
【００１１】
請求項３の発明によれば、箱状筐体内部に光源を備えているので、この光源を点灯させて植物に光を当てて植物の光合成を促進することができる。また、植物をライトアップすることによって視覚的効果を得ることができ、植物をより綺麗に見せることもできる。
【００１２】
請求項４の発明によれば、箱状筐体の内外面の双方又は何れか一方を酸化チタンなどの光触媒活性物質でコーティングを施し、光源には紫外線を発する光源を用いたので、光源点灯時には光触媒作用を生じさせて抗菌、脱臭などの効果を得ることができる。比較的狭い空間である薄型の箱状筐体内部は雑菌の繁殖や臭いがこもり易く、特に土などに植わった状態の植物を収めた場合にはその傾向が強まるところ、光触媒作用による抗菌、脱臭効果によりこれらを抑えることができ、植物観賞パネル内の衛生状態を清潔に保ち、植物の生育環境を向上させることができる。
また、この抗菌、脱臭効果は植物観賞パネル内部だけでなく外部に対しても同様に得られ、植物観賞パネルが設置された部屋などの空間においても抗菌、脱臭効果を得ることができる。
【発明を実施するための最良の形態】
【００１３】
図１は、この発明の植物観賞パネルを示す斜視図である。
薄型の箱状筐体１は、それぞれ表裏面を酸化チタンでコーティングされた金属板からなる前面板１１、背面板１２、右側板１３、左側板１４、天板１５、底板１６によって、奥行き５０ｍｍ程度のものとして構成されている。
そして、この箱状筐体１の正面板１１及び背面板１２には、それぞれ下方部分を残して大きな開口部１１１，１２１が設けられ、アクリル製の透明パネル２１，２２がこれら開口部１１１，１２１を塞ぐようにしてそれぞれ取り付けてある。
また、右側板１３、左側板１４には通気孔３が多数形成されており、箱状筐体１内部の空気を換気できるようにしてある。
さらに、天板１５の裏側には紫外線を多く発するＬＥＤ照明４が取り付けてあり、箱状筐体１の内部を照らすことができるようになっている（図２参照）。
【００１４】
図３は、この発明の植物観賞パネルの左右中心付近の断面の概要を示した図である。
箱状筐体１の内部には、箱状筐体１の内部に収容可能な大きさの容器５に植えられた観葉植物６が収められており、この観葉植物６は、その根元部分が正面板１１、背面板１２によって目隠しされた状態で、透明パネル２１，２２を通して正背面両側から鑑賞できるようになっている。
【００１５】
また、図４に示すように、背面板１２は、観葉植物６の出し入れ及び水やりが行えるように、箱状筐体１から取り外すことができる。
【００１６】
この発明の植物観賞パネルに収められた観葉植物６は、正面板１１及び背面板１２の開口部１１１，１２１にそれぞれ取り付けられた透明パネル２１，２２によって枝葉の広がりが規制されるので、観葉植物６の奥行きが箱状筐体１の奥行きを超えることはない。
したがって、奥行きスペースを確保できないために従来の鉢植え観葉植物の設置をあきらめていた場所であっても、この箱状筐体１を置くことができる程度の奥行きスペースが確保できる場所であれば、観葉植物を設置することができる。
【００１７】
また、右側板１３及び左側板１４には通気孔３を設けてあるので、箱状筐体１内部の空気を外部の新鮮な空気と換気することができ、観葉植物６の呼吸が妨げられることがない。
【００１８】
加えて、天板１５の裏側にはＬＥＤ照明４が取り付けられているので、これを点灯させて観葉植物６を照らすことによって光合成を促進できると共に、光の演出効果で観葉植物６をより美しく見せることができる。
【００１９】
さらには、箱状筐体１を構成する各板１１ないし１６には光触媒活性化物質である酸化チタンでコーティングされ、天板１５の裏側に取り付けられたＬＥＤ照明４は紫外線を多く発するものを用いたので、ＬＥＤ照明４を点灯させた時に箱状筐体１から光触媒作用を得ることができ、その抗菌効果、脱臭効果によって箱状筐体１内の衛生状態を清潔に保って観葉植物６の生育環境を向上させることができる。
また、抗菌効果、脱臭効果はこの植物観賞パネルを設置した空間に対しても得られるので、鑑賞者に対して、観葉植物６の癒し効果との相乗効果を得ることもできる。
【００２０】
上記実施例において、観葉植物の代わりに草や花などの植物を用いることも可能である。また、容器５に水張りをして切り花などを生けることもできる。
【００２１】
また、上記実施例においては、背面板１２にも開口部１２２を設けて透明パネル２２を取り付けてあるが、背面側の視界を遮りたい場合などには、背面板１２に開口部を設けないようにすればよい。
【産業上の利用可能性】
【００２２】
この発明は、省スペースで観葉植物などの植物を設置できる植物観賞パネルに関するものであり、産業上の利用可能性を有するものである。
【図面の簡単な説明】
【００２３】
【図１】この発明の植物観賞パネルの斜視図
【図２】同じく正面図
【図３】同じく中央断面図
【図４】同じく背面板を外した状態を示す中央断面図
【符号の説明】
【００２４】
１    箱状筐体
１１  正面板
１２  背面板
１３  右側板
１４  左側板
１５  天板
１６  底板
１１１  正面開口部
１２１  背面開口部
２１，２２  透明パネル
３   通気孔
４   光源
５   容器
６   植物
【図１】
2011156841.tif 000003
【図２】
2011156841.tif 000004
【図３】
2011156841.tif 000005
【図４】
2011156841.tif 000006